(57)【特許請求の範囲】
【請求項１】
自動的に盗難防止モードおよび救援モードに入ることが可能な移動通信端末の盗難防止および救援のシステムを準備するステップと、
（ｂ１）ＲＦＩＤ装置により発信されたサーチ信号により、周辺のＲＦＩＤ感知素子のＲＦＩＤ信号をサーチするとともに、制御ユニットの識別コードと比較し、その比較結果が合致した場合、前記ＲＦＩＤ感知素子を有するユーザが合法的に使用していると判断し、前記ＲＦＩＤ感知素子を追跡するＲＦＩＤ感知素子として設定し、自動的に前記盗難防止モードに入り、比較結果が合致しないと判断した場合、追跡を行わずに前記サーチ信号を定期的に発信し続けてサーチを繰り返すステップと、
（ｂ２）無線／衛星通信装置を介してＧＰＳ信号を随時受信することにより、前記移動通信端末の現在位置に関する経緯度情報を知ることが可能な移動通信端末のＧＰＳ測位を行うステップと、
（ｂ３）前記ＲＦＩＤ装置により、前記追跡するＲＦＩＤ感知素子が有効感知範囲内にあるか否かを監視し、前記追跡するＲＦＩＤ感知素子が前記有効感知範囲から離れると、前記移動通信端末の盗難防止および救援のシステムの前記制御ユニットは、警報装置へトリガ信号を発信し、前記警報装置が前記制御ユニットにより発せられる前記トリガ信号を受信するとアラームを発するステップと、
（ｂ４）前記アラームを発すると同時に、前記移動通信端末の盗難防止および救援のシステムは、異常状況信号およびＧＰＳ測位情報をもう一つの移動通信端末へ送信し、前記移動通信端末の盗難防止および救援のシステムが設けられた前記移動通信端末を測位追跡して探し出すために利用し、前記移動通信端末の通信機能を中断させて窃取使用を防止するステップと、
（ｂ５）前記移動通信端末の盗難防止および救援のシステムは、盗難防止モード解除信号を受信したか否かを判断し、前記盗難防止モード解除信号を受信したときに、前記盗難防止モードを解除し、前記移動通信端末の通信機能を回復させ、前記盗難防止モードを解除する信号を受信しないときに、前記もう一つの移動通信端末へ前記異常状況信号を発信し続けるステップと、を含む前記移動通信端末の盗難防止および救援のシステムが前記盗難防止モードに入るステップと、
（ｃ１）前記制御ユニットは、前記ユーザの操作により発信された救援信号を受信すると前記救援モードに入り、前記移動通信端末の盗難防止および救援のシステムにより前記もう一つの移動通信端末に急難状況信号が送信されるステップと、
（ｃ２）救援モード解除信号を受信したか否かを判断し、前記救援モード解除信号が受信されたときに前記救援モードを解除し、前記救援モード解除信号が受信されないときに救援者の前記移動通信端末に前記急難状況信号が送信され続けるステップと、を含む前記移動通信端末の盗難防止および救援のシステムが前記救援モードに入るステップと、を含むことを特徴とするＲＦＩＤを有する移動通信端末の盗難防止および救援の方法。
【請求項２】
ステップ（ｂ１）で行う比較は、
組合せて使用する前記ＲＦＩＤ感知素子の前記ＲＦＩＤ信号と、前記制御ユニット中の制御プログラムの識別コードとを比較するステップであることを特徴とする請求項１に記載のＲＦＩＤを有する移動通信端末の盗難防止および救援の方法。
【請求項３】
前記警報装置により前記アラームが発せられたときに、前記ユーザが前記警報装置を解除すると、前記警報装置が前記盗難防止モードに維持され続けることを特徴とする請求項２に記載のＲＦＩＤを有する移動通信端末の盗難防止および救援の方法。
【請求項４】
前記異常状況信号は、電子メールまたはショートメッセージサービスであり、前記移動通信端末の現在位置に関する経緯度情報および異常状況に関する情報を含み、
前記急難状況信号は、電子メールまたはショートメッセージサービスであり、前記移動通信端末の現在位置に関する経緯度情報および急難状況に関する情報を含み、
前記急難状況に関する情報は、強奪情報、誘拐情報および自動車事故情報のうちの少なくとも一つを含むことを特徴とする請求項３に記載のＲＦＩＤを有する移動通信端末の盗難防止および救援の方法。
【発明の詳細な説明】
【技術分野】
【０００１】
本発明は、移動通信端末の盗難防止および救援のシステムおよびその方法に関し、特に、ＲＦＩＤ、ＧＰＳおよび携帯通信技術の機能が整合された移動通信端末の盗難防止および救援のシステムおよびその方法に関する。
【背景技術】
【０００２】
携帯電話などの移動通信端末は、科学技術の進歩に伴い、広く普及している。しかし、携帯電話が軽量で薄型になるに従い、ユーザが携帯電話を不用意に紛失して盗用される危険性も同時に高くなったが、携帯電話を紛失してしまう危険性を低減させる方法は現在のところなかった。
【０００３】
一方、携帯電話は社会のすみずみで広く使用されており、ユーザに急難状況が発生して助けが必要となったときに、救援者に対して救難者に関するＧＰＳ測位情報を有効に提供して救助活動を行う方法は無かった。
【発明の開示】
【発明が解決しようとする課題】
【０００４】
本発明の目的は、ＧＰＳ測位機能を含む救援機能によりユーザが救援モードを起動すると、移動通信端末を介してＧＰＳ測位情報を含む救援信号を救援者へ発信し、救援活動に利用することが可能なＲＦＩＤを有する移動通信端末の盗難防止および救援のシステムおよびその方法を提供することにある。
【課題を解決するための手段】
【０００５】
（１）  ＲＦＩＤ感知素子およびもう一つの移動通信端末と組合せて使用するＲＦＩＤを有する移動通信端末の盗難防止および救援のシステムであって、前記ＲＦＩＤ感知素子に対応した識別コードを有する制御プログラムを含む制御ユニットと、前記もう一つの移動通信端末との携帯通信ルートを構築する携帯通信モジュールと、ＧＰＳ信号を受信し、該ＧＰＳ信号を前記移動通信端末の現在位置に関する経緯度データに変換し、該経緯度データを前記制御ユニットへ伝送して保存するＧＰＳモジュールと、を含み、前記制御ユニットと電気的に接続された無線／衛星通信装置と、前記制御ユニットと電気的に接続され、前記ＲＦＩＤ感知素子の識別信号を取得して、前記制御ユニットと、前記識別コードとを比較するＲＦＩＤ装置と、前記制御ユニットと電気的に接続され、前記制御ユニットにより制御されてアラームを発する警報装置と、を備えることを特徴とするＲＦＩＤを有する移動通信端末の盗難防止および救援のシステムを提供する。
【０００６】
（２）  前記制御ユニットと電気的に接続されたバックアップ電源装置をさらに備えることを特徴とする（１）に記載のＲＦＩＤを有する移動通信端末の盗難防止および救援のシステムを提供する。
【０００７】
（３）  前記無線／衛星通信装置は、無線／衛星通信アンテナを有し、前記ＲＦＩＤ装置は、ＲＦＩＤアンテナを有することを特徴とする（２）に記載のＲＦＩＤを有する移動通信端末の盗難防止および救援のシステムを提供する。
【０００８】
（４）  前記警報装置は、スピーカおよび振動モータを含むことを特徴とする（３）に記載のＲＦＩＤを有する移動通信端末の盗難防止および救援のシステムを提供する。
【０００９】
（５）  前記もう一つの移動通信端末は、携帯電子機器であり、前記携帯電子機器は、携帯電話、スマートフォンおよびノートブック型コンピュータのうちの１つを含むことを特徴とする（４）に記載のＲＦＩＤを有する移動通信端末の盗難防止および救援のシステムを提供する。
【００１０】
（６）  前記携帯通信モジュールと、前記もう一つの移動通信端末との間では、移動通信プロトコルにより通信を行い、前記移動通信プロトコルは、ＧＳＭ、ＧＰＲＳ、３ＧまたはＨＳＤＰＡであることを特徴とする（５）に記載のＲＦＩＤを有する移動通信端末の盗難防止および救援のシステムを提供する。
【００１１】
（７）  （ａ）自動的に盗難防止モードおよび救援モードに入ることが可能な移動通信端末の盗難防止および救援のシステムを準備するステップと、（ｂ）（ｂ１）ＲＦＩＤ装置により発信されたサーチ信号により、周辺のＲＦＩＤ感知素子のＲＦＩＤ信号をサーチするとともに、制御ユニットの識別コードと比較し、その比較結果が合致した場合、前記ＲＦＩＤ感知素子を有するユーザが合法的に使用していると判断し、前記ＲＦＩＤ感知素子を追跡するＲＦＩＤ感知素子として設定し、自動的に前記盗難防止モードに入り、比較結果が合致しないと判断した場合、追跡を行わずに前記サーチ信号を定期的に発信し続けてサーチを繰り返すステップと、（ｂ２）無線／衛星通信装置を介してＧＰＳ信号を随時受信することにより、前記移動通信端末の現在位置に関する経緯度情報を知ることが可能な移動通信端末のＧＰＳ測位を行うステップと、（ｂ３）前記ＲＦＩＤ装置により、前記追跡するＲＦＩＤ感知素子が有効感知範囲内にあるか否かを監視し、前記追跡するＲＦＩＤ感知素子が前記有効感知範囲から離れると、前記移動通信端末の盗難防止および救援のシステムの前記制御ユニットは、警報装置へトリガ信号を発信し、前記警報装置が前記制御ユニットにより発せられる前記トリガ信号を受信するとアラームを発するステップと、（ｂ４）前記アラームを発すると同時に、前記移動通信端末の盗難防止および救援のシステムは、異常状況信号およびＧＰＳ測位情報をもう一つの移動通信端末へ送信し、前記移動通信端末の盗難防止および救援のシステムが設けられた前記移動通信端末を測位追跡して探し出すために利用し、前記移動通信端末の通信機能を中断させて窃取使用を防止するステップと、（ｂ５）前記移動通信端末の盗難防止および救援のシステムは、盗難防止モード解除信号を受信したか否かを判断し、前記盗難防止モード解除信号を受信したときに、前記盗難防止モードを解除し、前記移動通信端末の通信機能を回復させ、前記盗難防止モードを解除する信号を受信しないときに、前記もう一つの移動通信端末へ前記異常状況信号を発信し続けるステップと、を含む前記移動通信端末の盗難防止および救援のシステムが前記盗難防止モードに入るステップと、（ｃ）（ｃ１）前記制御ユニットは、前記ユーザの操作により発信された救援信号を受信すると前記救援モードに入り、前記移動通信端末の盗難防止および救援のシステムにより前記もう一つの移動通信端末に急難状況信号が送信されるステップと、（ｃ２）救援モード解除信号を受信したか否かを判断し、前記救援モード解除信号が受信されたときに前記救援モードを解除し、前記救援モード解除信号が受信されないときに救援者の前記移動通信端末に前記急難状況信号が送信され続けるステップと、を含む前記移動通信端末の盗難防止および救援のシステムが前記救援モードに入るステップと、を含むことを特徴とするＲＦＩＤを有する移動通信端末の盗難防止および救援の方法を提供する。
【００１２】
（８）  ステップ（ｂ１）で行う比較は、組合せて使用する前記ＲＦＩＤ感知素子の前記ＲＦＩＤ信号と、前記制御ユニット中の制御プログラムの識別コードとを比較するステップであることを特徴とする（７）に記載のＲＦＩＤを有する移動通信端末の盗難防止および救援の方法を提供する。
【００１３】
（９）  前記警報装置により前記アラームが発せられたときに、前記ユーザが前記警報装置を解除すると、前記警報装置が前記盗難防止モードに維持され続けることを特徴とする（８）に記載のＲＦＩＤを有する移動通信端末の盗難防止および救援の方法を提供する。
【００１４】
（１０）  前記異常状況信号は、電子メールまたはショートメッセージサービスであり、前記移動通信端末の現在位置に関する経緯度情報および異常状況に関する情報を含み、前記急難状況信号は、電子メールまたはショートメッセージサービスであり、前記移動通信端末の現在位置に関する経緯度情報および急難状況に関する情報を含み、前記急難状況に関する情報は、強奪情報、誘拐情報および自動車事故情報のうちの少なくとも一つを含むことを特徴とする（９）に記載のＲＦＩＤを有する移動通信端末の盗難防止および救援の方法を提供する。
【発明の効果】
【００１５】
本発明のＲＦＩＤを有する移動通信端末の盗難防止および救援のシステムおよびその方法は、以下の効果を有する。
（１）管理センタを介さず、直接に無線／衛星通信装置からユーザへ異常状況信号を発信するため、ユーザは迅速に対応することができるだけでなく、管理センタにかかるサービス費用を節約することもできる。
（２）完全な盗難防止機能を有し、ＲＦＩＤ装置を介して簡便かつ有効にユーザの身分を識別することができる。
（３）本システムにはバックアップ電源装置が装着されているため、窃盗者が移動通信端末の電源を破壊したり除去したりしても、バックアップ電源装置を用いて電力を提供することができるため、盗難防止機能を維持する停電保護機能を得ることができる。
（４）ＧＰＳ測位機能を含む救援機能は、ユーザが救援モードを起動すると、移動通信端末を介してＧＰＳ測位情報を含む救援信号を救援者へ発信し、救援活動に利用することができる。
【発明を実施するための最良の形態】
【００１６】
以下、本発明の実施形態を図面に基づいて説明する。なお、これによって本発明が限定されるものではない。
【００１７】
（第１実施形態）
図１を参照する。図１は、本発明の好適な一実施形態によるＲＦＩＤを有する移動通信端末の盗難防止および救援のシステムを示す模式図である。本体１０中には、ＲＦＩＤを有する移動通信端末を追跡するシステムが設けられ、他の移動通信端末３０、ＲＦＩＤ感知素子４０および人工衛星５０と組合せて使用する。
【００１８】
ＲＦＩＤを有する移動通信端末の盗難防止および救援のシステムは、制御ユニット１００、無線／衛星通信装置２００、ＲＦＩＤ装置３００および警報装置２０を含む。無線／衛星通信装置２００、ＲＦＩＤ装置３００および警報装置２０は、制御ユニット１００と電気的に接続されている。無線／衛星通信装置２００は、無線／衛星通信アンテナ２０１を有し、ＲＦＩＤ装置３００は、ＲＦＩＤアンテナ３０１を有する。
【００１９】
本発明の他の実施形態によるＲＦＩＤを有する移動通信端末の盗難防止および救援のシステムは、制御ユニット１００と電気的に接続されたバックアップ電源装置５００をさらに含む。制御ユニット１００に接続された外部電源（本実施形態では携帯電話のバッテリー）が除去されたときに、バックアップ電源装置５００を制御ユニット１００の電力源として用い、動作を正常に維持することができる。本実施形態において、バックアップ電源装置５００は、ボタン型リチウム電池やボタン型アルカリ電池などでもよい。
【００２０】
無線／衛星通信装置２００は、無線／衛星通信アンテナ２０１を介して移動通信端末３０と、制御ユニット１００との通信を行う。無線／衛星通信装置２００は、携帯通信モジュールおよびＧＰＳモジュールを含む。
【００２１】
携帯通信モジュールは、移動通信端末３０との携帯通信ルートを構築し、携帯通信モジュールを介してモデムと電気的に接続されている。このモデムを利用し、携帯通信モジュールは、無線／衛星通信アンテナ２０１で受信した移動通信端末３０の信号に対して復調（ｄｅｍｏｄｕｌａｔｉｏｎ）を行い、移動通信端末３０に送信する信号に対して変調（ｍｏｄｕｌａｔｉｏｎ）を行う。
【００２２】
本実施形態において、移動通信端末３０は、携帯電話、スマートフォン（例えば、パーソナルデジタルアシスタント）、ノートブック型コンピュータなどの携帯電子機器でもよい。携帯通信モジュールは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ；２Ｇ）、ＧＰＲＳ（Ｇｅｎｅｒａｌ  Ｐａｃｋｅｔ  Ｒａｄｉｏ  Ｓｅｒｖｉｃｅ；２．５Ｇ）、第３世代移動通信（３Ｇ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ；３．５Ｇ）などの移動通信プロトコルを利用し、移動通信端末３０との通信を行う。
【００２３】
ＧＰＳモジュールは、無線／衛星通信アンテナ２０１を介して人工衛星５０が発生させるＧＰＳ信号を随時受信し、このＧＰＳ信号を車両の現在位置に関する経緯度データへ変換し、その経緯度データを制御ユニット１００へ伝送して保存する。
【００２４】
ＲＦＩＤ装置３００は、ＲＦＩＤアンテナ３０１を介し、ＲＦＩＤ感知素子４０と制御ユニット１００との通信を行う。ＲＦＩＤ感知素子４０は、電池の有無により受動型および能動型の２種類に分けられる。本実施形態では、受動型のＲＦＩＤタグを例に説明する。
【００２５】
本実施形態では、ＲＦＩＤ装置３００は、ＲＦＩＤアンテナ３０１を介し、ＲＦＩＤ感知素子４０と制御ユニット１００との通信を行う。ＲＦＩＤ感知素子４０は、電池の有無により受動型および能動型の２種類に分けられる。本実施形態では、受動型のＲＦＩＤタグ（ＲＦＩＤ  ｔａｇ）を例に説明する。
【００２６】
ＲＦＩＤ装置３００は、サーチ信号を定期的に発信し、周辺に存在する可能性のあるＲＦＩＤ感知素子４０のＲＦＩＤ信号をサーチし、制御ユニット１００へ伝送する。制御ユニット１００は、サーチしたＲＦＩＤ感知素子４０のＲＦＩＤ信号と、制御ユニット１００中の制御プログラムの識別コードとを比較する。そして、比較した結果、合致したときにＲＦＩＤ感知素子４０が追跡する必要のある目標物であると判断し、自動的に盗難防止モードに入る。合致しない場合は、追跡を行わずにサーチ信号を定期的に発送し、捜索を繰り返す。
【００２７】
盗難防止モードへ自動的に入った後、追跡するＲＦＩＤ感知素子が有効感知範囲を離れると、システムは、追跡するＲＦＩＤ感知素子４０のＲＦＩＤ信号を正確に受信することができなくなる。この時、制御ユニット１００は、警報装置２０へトリガ信号を発する。警報装置２０は、制御ユニット１００が発したトリガ信号を受信すると、アラームを発する。本実施形態において、アラームは、スピーカ（例えば、携帯電話に内蔵されたスピーカ）から発する音声または振動モータにより発生する振動を含み、有効感知範囲は、半径約１メートルである。
【００２８】
警報装置２０は、手動取消し機能を有し、ユーザは、警報を発生し続けることを選択したり、手動により警報の発生を取消したりしてもよい。制御ユニット１００の警報が取消された場合は、盗難防止モードへの自動進入が維持され続ける。
【００２９】
警報装置２０が作動すると、アラームが発せられると同時に、ＧＰＳ測位情報を含む異常状況信号が、システムからユーザが設定したもう一つの移動通信端末３０へ送信され、盗難防止および救援システムが設けられた移動通信端末を定位追跡して探し出すことができる。また、移動通信端末３０を介して本システムが設けられた移動通信端末にシャットダウンメッセージを送出し、本システムが設けられた移動通信端末の通信機能を中断させ（従って、移動通信端末がシャットダウン状態となる）、本システムが設けられた移動通信端末を窃取者が使用し続けることを防ぐ。
【００３０】
このように、本システムが設けられた移動通信端末がシャットダウンされた場合、使用するには再起動させなければならない。起動の際には、一般の移動通信端末が有するＳＩＭ（Ｓｕｂｓｃｒｉｂｅｒ  Ｉｄｅｎｔｉｔｙ  Ｍｏｄｕｌｅ）カードのＰＩＮコード認証機能により、本システムが設けられた移動通信端末が窃取者により盗まれて不法に使用されることを有効に防いでもよい。
【００３１】
制御ユニット１００は、ユーザの操作により救援信号が発信され、救援モードに入る。この際、制御ユニット１００は、無線／衛星通信装置２００を制御し、無線／衛星通信アンテナ２０１によりこの救援の急難状況信号を発信し（例えば、ユーザが救援モードを解除しないなど）、ユーザが予め設定した制御ユニット１００の救援者に対して急難状況信号を発信し続けて、救援作業に利用する。
【００３２】
図２を参照する。図２は、ＲＦＩＤを有する移動通信端末の盗難防止および救援のシステムおよびその方法を示す流れ図である。ＲＦＩＤを有する移動通信端末の盗難防止および救援のシステムおよびその方法は、移動通信端末の盗難防止および救援のシステムが選択的に盗難防止または救援モードに入る移動通信端末の盗難防止および救援のシステムを準備するステップ（６００）と、移動通信端末の盗難防止および救援のシステムが盗難防止モードに入るステップ（６１０）と、移動通信端末の盗難防止および救援のシステムが救援モードに入るステップ（６２０）とを含む。
【００３３】
盗難防止モードへ入るステップ（６１０）は、移動通信端末のＧＰＳ測位を行うステップ（６１１）と、ＲＦＩＤが成功したか否かを判断するステップ（６１２）と、ＲＦＩＤが成功しないときに異常状況信号を発信し、移動通信端末の通信機能を中断させるステップ（６１３）と、移動通信端末がシャットダウンされると、盗難防止モードを解除するか否かを判断し続けるステップ（６１４）と、盗難防止を解除する条件に合致したときに、盗難防止モードを解除するステップ（６１５）と、を含む。以下、上述のステップをより詳細に説明する。
【００３４】
図１および図２を同時に参照する。盗難防止モードが起動されると、移動通信端末のＧＰＳ測位を行い、無線／衛星通信装置２００を介してＧＰＳ信号を随時受信することにより、本システムが設けられた移動通信端末の現在位置に関する経緯度情報を知ることができる。
【００３５】
制御ユニット１００は、探し出したＲＦＩＤ感知素子４０のＲＦＩＤ信号と、制御ユニット１００中の制御プログラムの識別コードとを比較する。そして比較結果が合致した場合、ＲＦＩＤ感知素子４０に必要な追跡目標と判断し、自動追跡盗難防止モードに入る。比較結果が合致しないときは、追跡を行わずに、サーチ信号を定期的に発信し続けてサーチを繰り返す。
【００３６】
システムが自動追跡盗難防止モードに入ると、ＲＦＩＤ装置３００を介して定期的に追跡するＲＦＩＤ感知素子４０が有効感知範囲内にあるか否かを監視し、追跡するＲＦＩＤ感知素子４０が有効感知範囲から離れた場合、移動通信端末の盗難防止および救援のシステムは、追跡するＲＦＩＤ感知素子４０の識別コードを正確に受取ることができなくなる。この時、制御ユニット１００は、警報装置２０へトリガ信号を発信する。警報装置２０は、制御ユニット１００が発したトリガ信号を受信すると、アラームを発する。
【００３７】
ユーザが移動通信端末を不用意に紛失したり、どこかに置き忘れて有効感知範囲から所定値だけ離れてＲＦＩＤ感知素子が有効に感知されなくなると、警報装置２０がアラームを発し、移動通信端末を紛失したか置き忘れられたことをユーザに警告する。本実施形態において、このアラームは、スピーカから発せられた音声であるか、振動モータによる振動であり、感知距離の所定値は１メートルである。
【００３８】
ユーザは、追跡して移動通信端末を探し出した後、手動によりアラームをシャットダウンし、移動通信端末盗難防止および救援のシステムは、再び移動通信端末の追跡盗難防止モードへ自動的に入る。
【００３９】
警報装置２０が作動すると、アラームが同時に発せられる同時に、システムによりＧＰＳ測位情報を含む異常状況信号を、ユーザが設定したもう一つの移動通信端末３０へ発信し、盗難防止および救援システムが設けられた移動通信端末の位置を測位追跡して探し出し、移動通信端末の通信機能を中断し（すなわち、移動通信端末をシャットダウンする）、窃取使用されることを防ぐ。
【００４０】
システムは、依然としてＲＦＩＤ装置３００を介して正確なＲＦＩＤ感知素子４０を有するユーザの身分を識別する。識別が成功した場合、盗難防止モードを解除し、そうでない場合はユーザが設定したもう一つの移動通信端末３０へ異常状況信号を発信し続ける。また制御ユニット１００も盗難防止解除信号を受信したか否かを判断し、盗難防止解除信号を受信した場合、盗難防止モードを解除し、移動通信端末が電源供給を回復した場合に、ユーザのもう一つの移動通信端末３０へ異常状況信号を発信し続ける。
【００４１】
救援モードへの進入が選択されると（ステップ６２０）、制御ユニット１００は、ユーザの操作により発信された救援信号を受信するステップ（６２１）と、救援者に急難状況信号を発信するステップ（６２２）と、救援モードを解除するか否かを判断するステップ（６２３）と、救援モードを解除すると判断した場合に救援モードを解除するステップ（６２４）と、を含む。以下、上述のステップをさらに詳細に説明する。
【００４２】
ユーザが操作して発信した救援信号を受信すると、制御ユニット１００は、救援モードを起動させる。移動通信端末の盗難防止および救援のシステムが、救援信号を受信すると、救援者へ急難状況信号を送信する。救援モード解除信号がユーザにより発信されると、救援モードが解除され、急難状況信号が救援者に発信され続ける。
【００４３】
図１および図２を同時に参照する。図１および図２に示すように、本発明の好適な一実施形態によるＲＦＩＤを有する移動通信端末の盗難防止および救援のシステムが盗難防止モードに入ると、無線／衛星通信装置２００は、無線／衛星通信アンテナ２０１によりＧＰＳ信号を随時受信し、移動通信端末の現在位置に関する経緯度情報に変換し、その経緯度情報を制御ユニット１００へ伝送して保存する。ＲＦＩＤ装置３００を介して定期的にＲＦＩＤアンテナ３０１からサーチ信号を発信し、制御ユニット１００中に保存した識別コードに合致するＲＦＩＤ感知素子４０が周囲にあるか否かをサーチする。
【００４４】
制御ユニット１００が識別コードに合致したＲＦＩＤ感知素子４０を正確に識別できない場合、制御ユニット１００は、無線／衛星通信装置２００を介して無線／衛星通信アンテナ２０１からもう一つの移動通信端末３０へ異常状況信号を送信する。この時、ユーザは、もう一つの移動通信端末３０に表示された情報に基づいて迅速に対応することができる。
【００４５】
例えば、ユーザは移動通信端末が窃取された可能性があることを知った場合、もう一つの移動通信端末３０が受信したＧＰＳ測位情報を含む異常状況信号に基づいて、窃取された移動通信端末の現在位置を有効に知るためにサーチを行ってもよい。
【００４６】
本実施形態において、異常状況信号は、電子メール（Ｅ−ｍａｉｌ）またはショートメッセージサービス（Ｓｈｏｒｔ  Ｍｅｓｓａｇｅ  Ｓｅｒｖｉｃｅ：ＳＭＳ）でもよい。この異常状況信号は、移動通信端末の現在位置に関する経緯度情報および異常状況に関する情報を含む。
【００４７】
本発明の好適な一実施形態において、ＲＦＩＤを有する移動通信端末の盗難防止および救援のシステムが救援モードである場合、ユーザは、本システムが設けられた移動通信端末が各種急難状況に遭遇した際（例えば、強奪、誘拐、自動車事故など）、ユーザの操作により制御ユニット１００から救援信号を発信して無線／衛星通信装置２００を制御し、無線／衛星通信アンテナ２０１を介してこの救援の急難状況信号を発信し、ユーザが救援モードを解除しない場合、急難状況信号をユーザが予め設定した制御ユニット１００の救援者へ発信し続け、救援活動に利用する。
【００４８】
本実施形態において、急難状況信号は、電子メールまたはショートメッセージサービスでもよい。急難状況信号は、移動通信端末の現在位置に関する経緯度情報および急難状況に関する情報を含む。この急難状況に関する情報は、強奪情報、誘拐情報および自動車事故情報を含む。
【００４９】
例えば、救援者が急難状況信号を受信した後、各種電子地図の表示機能を備える装置やインターネットに接続された装置を介し、急難状況信号が提供する情報に基づいて、車両の現在位置の電子地図情報または衛星写真地図情報を調べ、救援作業に利用してもよい。
【００５０】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００５１】
【図１】本発明の好適な一実施形態によるＲＦＩＤを有する移動通信端末の盗難防止および救援のシステムを示す模式図である。
【図２】本発明の好適な一実施形態によるＲＦＩＤを有する移動通信端末の盗難防止および救援の方法を示すフローチャートである。
【符号の説明】
【００５２】
１０  本体
２０  警報装置
３０  移動通信端末
４０  ＲＦＩＤ感知素子
５０  人工衛星
１００  制御ユニット
２００  無線／衛星通信装置
２０１  無線／衛星通信アンテナ
３００  ＲＦＩＤ装置
３０１  ＲＦＩＤアンテナ
５００  バックアップ電源装置
【図１】
0004898752.tif 000002
【図２】
0004898752.tif 000003